(57)【特許請求の範囲】
【請求項１】
第１撮影レンズを介して被写体を撮像する撮像素子と、
前記撮像素子から出力される撮像信号に基づいた画像を表示する表示部と、
前記第１撮影レンズの明るさを示す情報を含む第１撮影レンズ情報と前記第１撮影レンズとは異なる性能を有する第２撮影レンズの明るさを示す情報を含む第２撮影レンズ情報とを記憶する記憶部と、
前記第２撮影レンズを選択する選択部と、
前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記撮像信号に基づいた画像に対して明るさの変更を行う画像処理部と
を備えることを特徴とするカメラ。
【請求項２】
第１撮影レンズを介して被写体を撮像する撮像素子と、
前記撮像素子から出力される撮像信号に基づいた画像を表示する表示部と、
前記第１撮影レンズの解像度を示す情報を含む第１撮影レンズ情報と前記第１撮影レンズとは異なる性能を有する第２撮影レンズの解像度を示す情報を含む第２撮影レンズ情報とを記憶する記憶部と、
前記第２撮影レンズを選択する選択部と、
前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記撮像信号に基づいた画像に対して解像度の変更を行う画像処理部と
を備えることを特徴とするカメラ。
【請求項３】
第１撮影レンズを介して被写体を撮像する撮像素子と、
前記撮像素子から出力される撮像信号に基づいた、スルー画像を表示する表示部と、
前記第１撮影レンズのレンズ情報を示す第１撮影レンズ情報と前記第１撮影レンズとは異なる性能を有する第２撮影レンズのレンズ情報を示す第２撮影レンズ情報とを記憶する記憶部と、
前記第２撮影レンズを選択する選択部と、
前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記表示部に表示される前記スルー画像のスルー画像データに対して、フレーム単位に画像処理行う画像処理部と
を備えることを特徴とするカメラ。
【請求項４】
前記第１撮影レンズの識別情報を取得する識別情報取得部を備え、
前記画像処理部は、前記識別情報により示される前記第１撮影レンズ情報を用いることを特徴とする請求項１〜３の何れか一項に記載のカメラ。
【請求項５】
第１撮影レンズを介して被写体を撮像する撮像素子と、
前記撮像素子から出力される撮像信号に基づいた画像を表示する表示部と、
前記第１撮影レンズの明るさを示す情報を含む第１撮影レンズ情報を取得する情報取得部と、
前記第１撮影レンズとは異なる性能を有する第２撮影レンズの明るさを示す情報を含む第２撮影レンズ情報を記憶する記憶部と、
前記第２撮影レンズを選択する選択部と、
前記情報取得部により取得された前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記撮像信号に基づいた画像に対して明るさの変更を行う画像処理部と
を備えることを特徴とするカメラ。
【請求項６】
第１撮影レンズを介して被写体を撮像する撮像素子と、
前記撮像素子から出力される撮像信号に基づいた画像を表示する表示部と、
前記第１撮影レンズの解像度を示す情報を含む第１撮影レンズ情報を取得する情報取得部と、
前記第１撮影レンズとは異なる性能を有する第２撮影レンズの解像度を示す情報を含む第２撮影レンズ情報を記憶する記憶部と、
前記第２撮影レンズを選択する選択部と、
前記情報取得部により取得された前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記撮像信号に基づいた画像に対して解像度の変更を行う画像処理部と
を備えることを特徴とするカメラ。
【請求項７】
第１撮影レンズを介して被写体を撮像する撮像素子と、
前記撮像素子から出力される撮像信号に基づいた画像を表示する表示部と、
前記第１撮影レンズの焦点距離を示す情報を含む第１撮影レンズ情報と前記第１撮影レンズとは異なる性能を有する第２撮影レンズの焦点距離を示す情報を含む第２撮影レンズ情報とを記憶する記憶部と、
前記第２撮影レンズを選択する選択部と、
前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記第１撮影レンズの望遠側の焦点距離を前記第２撮影レンズの望遠側の焦点距離に対応させ、前記第１撮影レンズの広角側の焦点距離を前記第２撮影レンズの広角側の焦点距離に対応させる画像処理を前記撮像信号に基づいた画像に対して行なう画像処理部と
を備えることを特徴とするカメラ。
【請求項８】
第１撮影レンズを介して被写体を撮像する撮像素子と、
前記撮像素子から出力される撮像信号に基づいた画像を表示する表示部と、
前記第１撮影レンズの焦点距離を示す情報を含む第１撮影レンズ情報と前記第１撮影レンズとは異なる性能を有する第２撮影レンズの焦点距離を示す情報を含む第２撮影レンズ情報とを記憶する記憶部と、
前記第２撮影レンズを選択する選択部と、
前記第１撮影レンズ情報と前記選択部により選択された前記第２撮影レンズの前記第２撮影レンズ情報とに基づいて、前記第１撮影レンズが所定の焦点距離になった時に、前記第２撮影レンズを介して前記被写体を前記撮像素子により撮像した画像となる前記撮像信号に基づいた画像に対して行う画像処理部と
を備えることを特徴とするカメラ。
【請求項９】
前記表示部は、前記第１撮影レンズが所定の焦点距離になった時のみ、前記画像処理部によって画像処理された前記撮像信号に基づいた画像を表示する
ことを特徴とする請求項８記載のカメラ。
【請求項１０】
前記第１撮影レンズのレンズ位置情報を取得するレンズ位置情報取得部を備え、
前記第１撮影レンズ情報は前記第１撮影レンズの焦点距離を示す焦点距離情報を含み、前記第２撮影レンズ情報は前記第撮影２レンズの焦点距離を示す焦点距離情報を含み、
前記画像処理部は、前記レンズ位置情報取得部により取得されたレンズ位置情報と前記第１撮影レンズ情報と前記第２撮影レンズ情報とに基づいて、前記表示部に表示される前記画像の拡大または縮小を行うことを特徴とする請求項１〜９の何れか一項に記載のカメラ。
【請求項１１】
前記表示部は、選択された前記第２撮影レンズを示す情報を表示することを特徴とする請求項１〜１０の何れか一項に記載のカメラ。
【請求項１２】
前記表示部は、電子ビューファインダであることを特徴とする請求項１〜１１の何れか一項に記載のカメラ。
【請求項１３】
前記表示部は、カメラ本体の背面に配置される液晶表示部であることを特徴とする請求項１〜１３の何れか一項に記載のカメラ。
【発明の詳細な説明】
【技術分野】
【０００１】
本発明は、カメラに関する。
【背景技術】
【０００２】
近年、撮影レンズを介して被写体のスルー画像を表示することができるカメラが普及しており、ユーザは表示されたスルー画像を確認しながら最適な撮影条件で被写体の撮影を行うことができる。
【０００３】
尚、スルー画像の表示機能を備えたカメラが、下記の特許文献１及び特許文献２に開示されている。特許文献１に記載のカメラは、撮影レンズのズーム時における焦点距離情報をスルー画像と併せて表示するものである。また、特許文献２に記載のカメラは、交換したレンズを介したスルー画像に対して交換後のレンズのイメージサイズに合った画像を生成して表示し、そのイメージサイズに応じた焦点検出領域を示す情報を併せて表示するものである。
【特許文献１】特開昭６３−１９５６３９号公報
【特許文献２】特開２００４−２１２８９２号公報
【発明の開示】
【発明が解決しようとする課題】
【０００４】
ところで、従来のスルー画像の表示機能を備えたレンズ交換式カメラの場合、撮影レンズを交換して別の撮影レンズをカメラ本体に装着しなければ交換後の画像を確認することができない。そのため、レンズを交換した場合における被写体の画像を確認するには、その都度、撮影レンズの交換作業をすることが必要になる。
【０００５】
本発明は、撮影レンズを交換することなしにユーザが所望する模擬レンズに対応する画像を表示しうるカメラを提供することを目的とする。
【課題を解決するための手段】
【０００６】
本発明に係るカメラは、第１撮影レンズを介して被写体を撮像する撮像素子と、前記撮像素子から出力される撮像信号に基づいた画像を表示する表示部と、前記第１撮影レンズの明るさを示す情報を含む第１撮影レンズ情報と前記第１撮影レンズとは異なる性能を有する第２撮影レンズの明るさを示す情報を含む第２撮影レンズ情報とを記憶する記憶部と、前記第２撮影レンズを選択する選択部と、前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記撮像信号に基づいた画像に対して明るさの変更を行う画像処理部とを備えることを特徴とする。
本発明に係るカメラは、第１撮影レンズを介して被写体を撮像する撮像素子と、前記撮像素子から出力される撮像信号に基づいた画像を表示する表示部と、前記第１撮影レンズの解像度を示す情報を含む第１撮影レンズ情報と前記第１撮影レンズとは異なる性能を有する第２撮影レンズの解像度を示す情報を含む第２撮影レンズ情報とを記憶する記憶部と、前記第２撮影レンズを選択する選択部と、前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記撮像信号に基づいた画像に対して解像度の変更を行う画像処理部とを備えることを特徴とする。
本発明に係るカメラは、第１撮影レンズを介して被写体を撮像する撮像素子と、前記撮像素子から出力される撮像信号に基づいた、スルー画像を表示する表示部と、前記第１撮影レンズのレンズ情報を示す第１撮影レンズ情報と前記第１撮影レンズとは異なる性能を有する第２撮影レンズのレンズ情報を示す第２撮影レンズ情報とを記憶する記憶部と、前記第２撮影レンズを選択する選択部と、前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記表示部に表示される前記スルー画像のスルー画像データに対して、フレーム単位に画像処理行う画像処理部とを備えることを特徴とする。
本発明に係るカメラは、第１撮影レンズを介して被写体を撮像する撮像素子と、前記撮像素子から出力される撮像信号に基づいた画像を表示する表示部と、前記第１撮影レンズの明るさを示す情報を含む第１撮影レンズ情報を取得する情報取得部と、前記第１撮影レンズとは異なる性能を有する第２撮影レンズの明るさを示す情報を含む第２撮影レンズ情報を記憶する記憶部と、前記第２撮影レンズを選択する選択部と、前記情報取得部により取得された前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記撮像信号に基づいた画像に対して明るさの変更を行う画像処理部とを備えることを特徴とする。
本発明に係るカメラは、第１撮影レンズを介して被写体を撮像する撮像素子と、前記撮像素子から出力される撮像信号に基づいた画像を表示する表示部と、前記第１撮影レンズの解像度を示す情報を含む第１撮影レンズ情報を取得する情報取得部と、前記第１撮影レンズとは異なる性能を有する第２撮影レンズの解像度を示す情報を含む第２撮影レンズ情報を記憶する記憶部と、前記第２撮影レンズを選択する選択部と、前記情報取得部により取得された前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記撮像信号に基づいた画像に対して解像度の変更を行う画像処理部とを備えることを特徴とする。
本発明に係るカメラは、第１撮影レンズを介して被写体を撮像する撮像素子と、前記撮像素子から出力される撮像信号に基づいた画像を表示する表示部と、前記第１撮影レンズの焦点距離を示す情報を含む第１撮影レンズ情報と前記第１撮影レンズとは異なる性能を有する第２撮影レンズの焦点距離を示す情報を含む第２撮影レンズ情報とを記憶する記憶部と、前記第２撮影レンズを選択する選択部と、前記第１撮影レンズ情報と前記選択部により選択された前記第２撮影レンズの前記第２撮影レンズ情報とに基づいて、前記選択部により選択された前記第２撮影レンズを介して前記被写体を前記撮像素子により撮像した画像となるように、前記第１撮影レンズの望遠側の焦点距離を前記第２撮影レンズの望遠側の焦点距離に対応させ、前記第１撮影レンズの広角側の焦点距離を前記第２撮影レンズの広角側の焦点距離に対応させる画像処理を前記撮像信号に基づいた画像に対して行なう画像処理部とを備えることを特徴とする。
本発明に係るカメラは、第１撮影レンズを介して被写体を撮像する撮像素子と、前記撮像素子から出力される撮像信号に基づいた画像を表示する表示部と、前記第１撮影レンズの焦点距離を示す情報を含む第１撮影レンズ情報と前記第１撮影レンズとは異なる性能を有する第２撮影レンズの焦点距離を示す情報を含む第２撮影レンズ情報とを記憶する記憶部と、前記第２撮影レンズを選択する選択部と、前記第１撮影レンズ情報と前記選択部により選択された前記第２撮影レンズの前記第２撮影レンズ情報とに基づいて、前記第１撮影レンズが所定の焦点距離になった時に、前記第２撮影レンズを介して前記被写体を前記撮像素子により撮像した画像となる画像処理を前記撮像信号に基づいた画像に対して行う画像処理部とを備えることを特徴とする。
【発明の効果】
【０００７】
本発明によれば、模擬レンズの選択を行うだけで、撮影レンズを介して撮像した被写体の画像を、模擬レンズをカメラに装着した場合における画像となるように表示することができる。
【発明を実施するための最良の形態】
【０００８】
以下、本発明の実施形態に係るカメラついて説明する。図１は、本実施形態に係るカメラの構成を示すブロック図である。同図に示すように、カメラ２は、交換可能な撮影レンズ４とカメラ本体６とから構成されている。撮影レンズ４は、ＣＰＵ４０、レンズ駆動部４１、レンズ位置検出部４２、通信部４３、複数のレンズ群で構成され光軸方向に移動可能なレンズ４４を含んで構成されている。ＣＰＵ４０は、ＲＯＭやＲＡＭのメモリを含み、ＲＯＭには撮影レンズを識別する情報が記憶されており、撮影レンズ４を構成する各部を制御する。
【０００９】
レンズ駆動部４１は、レンズ４４を光軸方向に移動させ、レンズ位置検出部４２は、エンコーダ等で構成され、レンズ駆動部４１によって移動されたレンズ４４のレンズ位置を検出する。通信部４３は、レンズ４４のレンズ位置における焦点距離と撮影レンズ４を識別する識別情報を含むレンズ情報(以下、「撮影レンズ情報」と言う。)をカメラ本体６に対して送信する。
【００１０】
カメラ本体６は、ＣＰＵ６０、撮像素子６１、画像データ記憶部６２、レンズ情報記憶部６３、通信部６４、画像処理部６５、メモリカード６６、操作部６７、及び表示制御部６８、表示部６９を含んで構成されている。ＣＰＵ６０は、ＲＯＭやＲＡＭのメモリを含み、ＲＯＭに格納されたプログラムを実行することによりカメラ本体６を構成する各部を制御する。
【００１１】
撮像素子６１は、ＣＣＤやＣＭＯＳ等で構成され、撮影レンズ４を介した被写体を撮像してアナログ信号の画像信号を生成する。画像データ記憶部６２は、撮像素子６１から出力された画像信号を図示しないＡ／Ｄ変換部においてＡ／Ｄ変換して生成された画像データを一時的に記憶する。レンズ情報記憶部６３は、撮影レンズ４及び現在装着されている撮影レンズ以外の交換レンズ(以下、「模擬レンズ」と言う。)の焦点距離やF値等のレンズ情報を記憶する。通信部６４は、撮影レンズ４との間で撮影レンズ情報等を通信する。
【００１２】
画像処理部６５は、画像データ記憶部６２に記憶される画像データをフレーム単位に読み出し、補間処理等を行ってスルー画像を生成する。また、画像処理部６５は、模擬レンズを装着した場合の画像を模擬して表示するための画像処理をスルー画像のデータに対して行う。
【００１３】
メモリカード６６は、ＳＤカード等で構成され、RAWデータやJPEGデータ等の画像データを記憶する。操作部６７は、図示しないシャッターボタンやメニュー選択を行うための操作ボタン等であり、模擬レンズを装着した場合のスルー画像を表示するモード(以下、「模擬画像表示モード」と言う、)の選択操作や模擬レンズの選択操作を受付ける。表示制御部６８は、スルー画像やメモリカード６６に記憶された画像の表示部６９への表示を制御する。表示部６９は、カメラ本体６の背面に設けられた液晶ディスプレイで構成され、スルー画像やメニュー項目等の画像を表示する。
【００１４】
図２は、レンズ情報記憶部６３に記憶されたレンズ情報テーブルの構成及びデータ例を示している。同図に示す様に、レンズ情報テーブル１０は、レンズ識別情報で示される撮影レンズ４を含む各模擬レンズが有する焦点距離、F値、及び解像度を記憶している。
【００１５】
図３は、表示部６９に表示されたレンズ選択メニューの表示例を示している。このレンズ選択メニューは、操作部６７を介してユーザが模擬画像表示モードの選択操作を行った際に表示部６９に表示される。即ち、上述したレンズ情報テーブル１０のレンズ識別情報、焦点距離、F値の各データからなる選択レンズ情報２１０が表示され、装着されている撮影レンズ４をユーザが確認できるように、装着されている撮影レンズ４の選択レンズ情報２２０を矩形で囲む等により強調して表示する。
【００１６】
次に、本実施形態に係るカメラ２の動作を図４に示す動作フロー図を参照して説明する。カメラ２のＣＰＵ６０は、操作部６７を介して模擬画像表示モードの選択操作をユーザから受付けた場合(ステップＳ１１０:Ｙ)、図３に示すように、表示制御部６８を介して表示部６９にレンズ選択メニューを表示する。
【００１７】
ここで、ユーザが操作部６７を介して模擬レンズとして“レンズＢ”の選択レンズ情報２３０を選択した場合、ＣＰＵ６０はその選択操作を受付け(ステップＳ１２０:Ｙ)、撮影レンズ４からレンズ識別情報とレンズ位置により規定される焦点距離を含む撮影レンズ情報を通信部６４を介して取得する(ステップＳ１３０)。尚、この実施形態においては、現在装着されている撮影レンズの識別情報として“レンズＡ”を、レンズＡの現在のレンズ位置として焦点距離“18mm”を取得するものとする。
【００１８】
ＣＰＵ６０は、レンズ情報記憶部６３に記憶されたレンズ情報テーブル１０を参照し、画像処理部６５によりレンズＢを装着した場合における模擬画像を生成するための画像処理を、撮像素子６１から出力された撮像信号に基づくスルー画像データに対してフレーム単位に行う(ステップＳ１４０)。
【００１９】
図５は、ステップＳ１４０の画像処理の動作フローを示す図である。画像処理部６５は、レンズ情報記憶部６３に記憶されたレンズ情報テーブル１０を参照し、レンズＡのレンズ情報とレンズＢのレンズ情報とレンズＡのレンズ位置により規定される焦点距離に基づいてレンズＢを装着した場合における模擬画像の倍率を算出する(ステップＳ１４１)。
【００２０】
図６は、レンズＡの焦点距離にレンズＢの焦点距離を対応させた場合におけるレンズＡのレンズ位置(設定された焦点距離)により算出される画像データの倍率を示す図である。レンズＡは焦点距離18−55mmのズームレンズであり、レンズＢは焦点距離55−200mmのズームレンズであるため、レンズＡを装着した状態でレンズＢを模擬する場合には、レンズＡの焦点距離18mmにレンズＢの焦点距離55mmを対応させ、レンズＡの焦点距離55mmにレンズＢの焦点距離200mmを対応させる。
【００２１】
この場合、レンズＢの焦点距離55mmでの画像を表示するときは、レンズＡの焦点距離18mmにおける画像データを3.05倍(=55／18)する必要があり、レンズＢの焦点距離200mmでの画像を表示するときは、レンズＡの焦点距離55mmにおける画像データを3.636倍(=200／55)する必要がある。尚、レンズＡの各レンズ位置における画像データに対する倍率は同図の直線６００で示される一次関数にレンズＡの焦点距離を示すレンズ位置情報を代入することにより算出する。実施形態の場合、レンズＡのレンズ位置が18mmのため、画像データに対する倍率は3.05倍となる。
【００２２】
図５に戻り、画像処理部６５は、ステップＳ１４１で算出した倍率の画像となるように１フレーム分のスルー画像データから一部の領域の画像データを抽出し、抽出したスルー画像データを算出した倍率で拡大する(ステップＳ１４２)。また、画像処理部６５は、レンズ情報記憶部６３に記憶されたレンズ情報テーブル１０を参照し、ステップＳ１４２において拡大した画像データについて、レンズＡの開放F値“４”とレンズＢの開放F値 “２.８”の差分に応じた明るさの調整を行う(ステップＳ１４３)。この場合、レンズＢの方がレンズＡより明るいレンズであるので、レンズＡのスルー画像より明るい画像となるように調整する。
【００２３】
また、画像処理部６５は、レンズ情報記憶部６３に記憶されたレンズ情報テーブル１０を参照し、ステップＳ１４２において拡大した画像データについて、レンズＡの解像度“９０”とレンズＢの解像度“１００”の差分に応じた解像度の調整を行う(ステップＳ１４４)。
【００２４】
図４に戻り、ＣＰＵ６０は、ステップＳ１４０において画像処理された画像データと、レンズ情報テーブル１０におけるレンズＢの焦点距離及びF値を示すレンズ情報とを表示制御部６８により表示部６９に表示する(ステップＳ１５０)。図８は、焦点距離18mmのレンズ位置におけるレンズＡを介したスルー画像の例を示しており、図９は、レンズＢを模擬レンズとし、レンズＡとレンズ位置を同じとした場合の画像の表示例を示している。図９においては、図８の破線３１０で囲まれた部分のスルー画像データについて画像処理を行った模擬画像４１０と、選択されたレンズＢの識別情報と焦点距離とF値を示すレンズ情報４２０とが併せて表示部６９に表示される。尚、上述したステップＳ１４０及びステップＳ１５０では１フレーム分の処理について説明したが、模擬画像表示モードが終了されるまで各フレームについて同様の処理を行い、スルー画像の表示を継続して行う。
【００２５】
図４に戻り、ＣＰＵ６０は、操作部６７を介する模擬画像表示モードの終了操作を受付けたか否か判断し、模擬画像表示モードの終了操作を受付けなかった場合において (ステップＳ１６０:Ｎ)、ステップＳ１２０以下の処理を繰り返し行う。尚、装着している撮影レンズのレンズ位置を変更する操作がユーザによってなされた場合には、撮影レンズ情報を取得し(ステップＳ１３０)、変更されたレンズ位置で規定される焦点距離に対応する倍率の模擬画像を表示する(ステップＳ１４０、ステップＳ１５０)。
【００２６】
また、ＣＰＵ６０は、操作部６７を介する模擬画像表示モードの終了操作を受付けた場合 (ステップＳ１６０:Ｙ)、及びステップＳ１１０において操作部６７を介する模擬画像選択モードの選択操作を受付けなかった場合(ステップＳ１１０:Ｎ)には、“レンズＡ”を介して撮像した被写体のスルー画像(図８)を表示部６９に表示する(ステップＳ１７０)。
【００２７】
本実施形態におけるカメラは、交換可能な模擬レンズを選択するだけで、模擬レンズを装着したときの画像となるように撮影レンズで撮影した画像データに画像処理を行って表示することができる。従って、ユーザは、レンズを交換する操作を行うことなく容易に模擬レンズに対応した模擬画像を確認することができ、交換レンズを持っていないユーザであっても、交換レンズを購入前に撮影レンズ以外の交換レンズを用いた場合の画像の確認を行うことができる。
【００２８】
尚、上述した実施形態では、撮影レンズの焦点距離と選択されたレンズの焦点距離とを対応させて画像データの倍率を算出し、算出した倍率で拡大した画像を表示するものとして説明したが、以下の場合も本発明に含まれる。例えば、装着されている撮影レンズがレンズＡ、選択された模擬レンズがレンズＣの単焦点レンズである場合、図７に示すように、レンズＡのレンズ位置が最も望遠側の焦点距離55mmに設定されたときに、表示部６９にレンズＣを装着した場合の模擬画像の表示を行う。即ち、レンズＡの焦点距離55mmとレンズＣの焦点距離400mmとの比率7.27(=400／55)を倍率としてスルー画像データを拡大し、かつ上述の実施形態と同様に、画像データの明るさ及び解像度の調整を行い、図１０に示す様に、模擬画像５１０とレンズＣを表すレンズ情報５２０を併せて表示部６９にする。この場合、図７に示すように、レンズＡのレンズ位置が焦点距離55mmに設定されるまでは、レンズＡを介して撮影したスルー画像を表示してもよいし、レンズＡのレンズ位置が焦点距離55mmを示す位置に設定されるまで表示部６９に画像を表示しないようにしてもよい。
【００２９】
また、上述した実施形態では、表示部６９は液晶ディスプレイであるものとして説明したが、電子ビューファインダであってもよい。
【００３０】
また、上述した実施形態では、選択されたレンズが装着された撮影レンズより焦点距離の長いレンズである場合について説明したが、選択されたレンズが装着された撮影レンズより広角のレンズである場合には、上述した実施形態と同様に、装着された撮影レンズの焦点距離に対応させた選択されたレンズの焦点距離を用いて画像データの倍率を算出し、算出した倍率で縮小した画像を表示部の画像表示領域の中央部分に表示することとしてもよい。
【００３１】
また、選択された模擬レンズが装着されている撮影レンズより性能が悪いレンズである場合には、模擬レンズと装着されている撮影レンズの性能の差分に応じて画像の画質を落とした画像処理を行って表示することとしてもよい。
【００３２】
また、上述した実施形態では、レンズ情報として焦点距離とF値と解像度を用いるものとして説明したが、色収差の情報を用いてもよい。例えば、色収差の情報としてED(Extra Low Dispersion)レンズであるか否かの情報をレンズ情報テーブルに記憶している場合において、装着されている撮影レンズがEDレンズであり、選択された模擬レンズがEDレンズでないとき、装着された撮影レンズによる画像を色収差に応じてぼかすように画像処理を行って模擬画像を生成する。
【００３３】
また、上述した実施形態では、模擬画像表示のための画像処理において、装着されている撮影レンズの画像データに対し、撮影レンズと模擬レンズの開放F値の差分に応じて明るさの調整を行うものして説明したが、F値の差分に応じて被写界深度の変化を表すように撮影レンズによる画像に対してぼけ具合を画像処理にて調整することとしてもよい。
【００３４】
また、模擬画像表示モードでは、模擬レンズとして選択したレンズに対応する模擬画像表示を行っているが、模擬レンズを特定せずに、模擬画像表示を変えていき、装着可能なレンズで撮影したのと同じ寸法の画像サイズとなったときに対応する模擬レンズの名称や焦点距離を表示し、一方、画像サイズに対応する装着可能なレンズがないときは、対応する模擬レンズがないことを表示するようにしてもよい。
【図面の簡単な説明】
【００３５】
【図１】実施形態に係るカメラのブロック図である。
【図２】実施形態に係るレンズ情報テーブルの例を示す図である。
【図３】実施形態に係るレンズ選択メニュー画像の例を示す図である。
【図４】実施形態に係るカメラの動作を示すフロー図である。
【図５】実施形態に係るカメラの画像処理の動作を示すフロー図である。
【図６】実施形態に係るカメラの模擬画像の倍率を説明する図である。
【図７】実施形態の変形例に係るカメラの模擬画像の倍率を説明する図である。
【図８】実施形態に係るカメラの撮影レンズを介して撮影した画像の表示例を示す図である。
【図９】実施形態において模擬レンズＢを選択した場合の模擬画像の表示例を示す図である。
【図１０】実施形態において模擬レンズＣを選択した場合の模擬画像の表示例を示す図である
【符号の説明】
【００３６】
２  カメラ
４  撮影レンズ
６  カメラ本体
４０、６０  ＣＰＵ
４１  レンズ駆動部
４２  レンズ位置検出部
４３、６４  通信部
６１  撮像素子
６２  画像データ記憶部
６３  レンズ情報記憶部
６５  画像処理部
６６  メモリカード
６７  操作部
６８  表示制御部
６９  表示部
【図１】
0005125774.tif 000002
【図２】
0005125774.tif 000003
【図３】
0005125774.tif 000004
【図４】
0005125774.tif 000005
【図５】
0005125774.tif 000006
【図６】
0005125774.tif 000007
【図７】
0005125774.tif 000008
【図８】
0005125774.tif 000009
【図９】
0005125774.tif 000010
【図１０】
0005125774.tif 000011